(57)【要約】【課題】少ない消費電力によって照射領域の拡大を図れるようにすると共に、照射領域全域の撮像を可能にした独立電源型防犯柱を提供すること。【解決手段】地上に立設される中空状支柱１０と、中空状支柱１０に装着されるソーラーパネル２０と、中空状支柱１０の中空部１０ａ内に収容される蓄電池３０と、蓄電池３０に蓄電された電力により発光する発光ダイオード４０と、発光ダイオード４０から照射される光を下方拡開方向に向かって反射する反射板５０と、中空状支柱１０に装着され、少なくとも発光ダイオード４０及び反射板５０から照射される照射領域の撮像が可能な監視カメラ６０とを具備する。これにより、少なくとも発光ダイオード４０及び反射板５０から照射される領域内を監視カメラ６０によって撮像することができる。【選択図】  図１
2004204599.tif 000002
【特許請求の範囲】
【請求項１】
地上に立設される中空状支柱と、
上記中空状支柱に装着されるソーラーパネルと、
上記中空状支柱の中空部内に収容される蓄電池と、
上記蓄電池に蓄電された電力により発光する光源と、
上記光源から照射される光を下方拡開方向に向かって反射する反射板と、
上記中空状支柱に装着され、少なくとも上記光源及び反射板から照射される照射領域の撮像が可能な監視カメラと、を具備することを特徴とする独立電源型防犯柱。
【請求項２】
請求項１記載の独立電源型防犯柱において、
上記光源を、中空状支柱の頂部に配設されると共に、上方側に向かって照射可能な発光体にて形成し、この発光体の上方側に、発光体の外方周辺から起立する保持棒を介して反射板を配設してなる、ことを特徴とする独立電源型防犯柱。
【請求項３】
請求項１又は２記載の独立電源型防犯柱において、
上記反射板の反射面に、光源から照射される光を拡散及び散乱する凹凸表面を形成してなる、ことを特徴とする独立電源型防犯柱。
【請求項４】
請求項１ないし３のいずれかに記載の独立電源型防犯柱において、
上記中空状支柱の上部に、リード線が配線可能なパイプ状の連結部材を介して下面にレンズを有する監視カメラユニットを連結し、この監視カメラユニットの上部に、リード線が配線可能な連結部材を介して光源ユニットを連結してなる、ことを特徴とする独立電源型防犯柱。
【請求項５】
請求項４記載の独立電源型防犯柱において、
上記中空状支柱と監視カメラユニットの外皮筐体及び光源ユニットの外皮筐体を、それぞれ長手通しの狭隘開口状の凹溝を有する同一の断面形状に形成し、
上記監視カメラ外皮筐体の凹溝内及び上記光源外皮筐体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、監視カメラユニットと電源ユニットとを連結・固定する、ことを特徴とする独立電源型防犯柱。
【請求項６】
請求項１ないし５のいずれかに記載の独立電源型防犯柱において、
上記中空状支柱は、長手方向に沿設される狭隘開口状の凹溝を有する複数の支柱体を具備し、
隣接する上記支柱体の上記凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定してなる、ことを特徴とする独立電源型防犯柱。
【発明の詳細な説明】
【０００１】
【発明の属する技術分野】
この発明は、独立電源型防犯柱に関するもので、更に詳細には、ソーラーパネルによって得られた自然エネルギを蓄電し、蓄電された電力によって光を照射すると共に、反射板を利用して照射する照明機能と、監視カメラによって監視する防犯機能とを有する独立電源型防犯柱に関するものである。
【０００２】
【従来の技術】
従来、地上に立設される支柱に、ソーラーパネルと、ソーラーパネルによって得られた自然エネルギーを蓄電する蓄電池と、蓄電池に蓄電された電力によって発光する照明灯や監視カメラを備えた独立電源型タワーが知られている（例えば、特許文献１参照）。
【０００３】
【特許文献１】
特開平１０−３３９０５６号公報（特許請求の範囲、段落番号００２２〜００２９，００３２、図１，図２）
【０００４】
【発明が解決しようとする課題】
しかしながら、上記従来の独立電源型タワーにおいては、照明灯は、支柱の上部外周面に設けられた凹部の一部、例えば凹部の上部側の下向き傾斜面に配置されているため、照明灯からの光は、頭上から地面にスポット状になってしまい、照射領域が小さく、照明効果が低いものとなっていた。したがって、夜間の暗闇における照明灯としては十分な機能を発揮することができず、防犯機能も十分でないという問題があった。
【０００５】
この問題を解決する手段として、照明灯の数を増やすことが考えられるが、支柱の径寸法等によって照明灯の数に限度があり、スポット状の照射領域の数が増えるだけで、照明効果の向上に期待はできない。また、照明灯の数を増やすと、消費電力が嵩むため、ソーラーパネルや蓄電池の容量を大きくしなければならないという問題がある。
【０００６】
この発明は、上記事情に鑑みてなされたもので、少ない消費電力によって照射領域の拡大を図れるようにすると共に、照射領域全域の撮像を可能にした独立電源型防犯柱を提供することを目的とするものである。
【０００７】
【課題を解決するための手段】
上記課題を解決するために、この発明の独立電源型防犯柱は、地上に立設される中空状支柱と、  上記中空状支柱に装着されるソーラーパネルと、  上記中空状支柱の中空部内に収容される蓄電池と、  上記蓄電池に蓄電された電力により発光する光源と、  上記光源から照射される光を下方拡開方向に向かって反射する反射板と、  上記中空状支柱に装着され、少なくとも上記光源及び反射板から照射される照射領域の撮像が可能な監視カメラと、を具備することを特徴とする（請求項１）。
【０００８】
この発明において、上記光源を、中空状支柱の頂部に配設されると共に、上方側に向かって照射可能な発光体にて形成し、この発光体の上方側に、発光体の外方周辺から起立する保持棒を介して反射板を配設する方が好ましい（請求項２）。この場合、発光体は１つ又は複数のいずれであってもよい。この発光体は、発光ダイオード（ＬＥＤ）にて形成する方が好ましい。また、上記反射板は、光源から照射される光を下方拡開方向に向かって照射するものであれば、反射板の反射面は鏡面仕上げであっても差し支えないが、好ましくは、上記反射板の反射面に、光源から照射される光を拡散及び散乱する凹凸表面を形成する方がよい（請求項３）。
【０００９】
また、上記中空状支柱の上部に、リード線が配線可能なパイプ状の連結部材を介して下面にレンズを有する監視カメラユニットを連結し、この監視カメラユニットの上部に、リード線が配線可能な連結部材を介して光源ユニットを連結する方が好ましい（請求項４）。この場合、上記中空状支柱と監視カメラユニットの外皮筐体及び光源ユニットの外皮筐体を、それぞれ長手通しの狭隘開口状の凹溝を有する同一の断面形状に形成し、  上記監視カメラ外皮筐体の凹溝内及び上記光源外皮筐体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、監視カメラユニットと電源ユニットとを連結・固定する方が好ましい（請求項５）。
【００１０】
また、この発明の独立源源型防犯柱において、上記中空状支柱は、長手方向に沿設される狭隘開口状の凹溝を有する複数の支柱体を具備し、隣接する上記支柱体の上記凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定するようにしてもよい（請求項６）。
【００１１】
請求項１記載の発明によれば、昼間は、ソーラーパネルによって太陽光（太陽エネルギ）を集光（吸収）して、蓄電池に蓄電しおくことができ、また、夜間には、蓄電池に蓄電された電力を光源に供給して、光源を発光させ、光源から照射された光を反射板によって下方拡開方向に照射することができる。これにより、光源からの光の照明領域を支柱の下部周辺の広い範囲に渡って広げることができる。また、少なくとも照射領域の全般に渡って監視カメラによって撮像することができる。したがって、少ない消費電力によって有効な照射領域を確保することができると共に、十分な防犯機能が得られる。
【００１２】
請求項２記載の発明によれば、光源を、中空状支柱の頂部に配設されると共に、上方側に向かって照射可能な発光体にて形成し、この発光体の上方側に、発光体の外方周辺から起立する保持棒を介して反射板を配設することにより、光源からの光を効率良く反射板に照射して反射板によって効率良く反射することができる。したがって、更に少ない消費電力で照射領域の拡大を図ることができる。
【００１３】
請求項３記載の発明によれば、反射板の反射面に、光源から照射される光を拡散及び散乱する凹凸表面を形成することにより、光源から照射される光を反射板の凹凸表面によって拡散及び散乱させて下方拡開方向に照射することができる。
【００１４】
請求項４記載の発明によれば、中空状支柱の上部に、リード線が配線可能なパイプ状の連結部材を介して下面にレンズを有する監視カメラユニットを連結し、この監視カメラユニットの上部に、リード線が配線可能な連結部材を介して光源ユニットを連結することにより、監視カメラの撮像領域を可及的に広くした状態で、支柱に収容された蓄電池からの電力を監視カメラ及び光源に供給することができる。
【００１５】
請求項５記載の発明によれば、中空状支柱と監視カメラユニットの外皮筐体及び光源ユニットの外皮筐体を、それぞれ長手通しの狭隘開口状の凹溝を有する同一の断面形状に形成し、両外皮筐体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、監視カメラユニットと電源ユニットとを連結・固定することにより、監視カメラユニットと光源ユニットの外皮筐体を共通の部材にて形成することができると共に、簡単な連結作業によって監視カメラユニットと光源ユニットの連結・固定を容易にすることができる。
【００１６】
請求項６記載の発明によれば、中空状支柱を、長手方向に沿設される狭隘開口状の凹溝を有する複数の支柱体にて構成し、隣接する支柱体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定することにより、中空状支柱が分割でき、コンパクトにすることができるので、梱包を容易にすることができると共に、運搬を容易にすることができる。また、設置現場において、連結部材によって中空状支柱の組立を容易にすることができる。
【００１７】
【発明の実施の形態】
以下に、この発明の独立電源型防犯柱の実施形態を添付図面に基づいて詳細に説明する。
【００１８】
◎第一実施形態
図１は、この発明に係る独立電源型防犯柱の第一実施形態の全体を示す概略正面図（ａ）及び（ａ）のＩ部拡大断面図（ｂ）、図２は、図１のII−II線に沿う拡大断面図（ａ）及びIII−III線に沿う拡大断面図（ｂ）、図３は、第一実施形態の独立電源型防犯柱の全体を示す概略斜視図である。
【００１９】
上記独立電源型防犯柱は、地上に立設される中空状の支柱１０と、この支柱１０に装着されるソーラーパネル２０と、このソーラーパネル２０によって集光された光エネルギを電気エネルギとして蓄電する蓄電池３０と、この蓄電池３０に蓄電された電力を定電圧・定電流に制御する制御装置（図示せず）と、蓄電池３０に蓄電された電力によって発光する光源４０を有する光源ユニット４１と、光源４０から照射される光を下方拡開方向に向かって反射する反射板５０と、中空状支柱１０に装着され、少なくとも光源４０及び反射板５０から照射される照射領域の撮像が可能な監視カメラ６０を有する監視カメラユニット６１とで主に構成されている。
【００２０】
上記中空状支柱１０は、アルミニウム合金製の断面略円形状の中空押出形材にて形成されており、外側面の対向する２箇所に、支柱１０の長手方向に沿設され、かつ、外方に開口する狭隘開口状の凹溝１１が形成されている。この場合、凹溝１１の狭隘開口部１２と側壁１３との間に段部１４が形成されている。また、支柱１０の内側面における凹溝１１間の位置には、断面略円弧状の４個のビスポケット１５が長手通しに形成されている。なお、支柱１０の凹溝１１以外の外表面には、長手方向に互いに平行な凹凸細条１６が形成されている（図２（ａ）参照）。
【００２１】
上記ソーラーパネル２０は、略矩形状をなし、短辺側が集光効率の良い曲面に屈曲された透明性の合成樹脂例えばポリカーボネート製パネル基板２１と、この透明性パネル基板２１に積層接着されるシリコン単結晶ソーラーセル２２と、透明ポリカーボネート製パネル基板２１の背部に装着されるフレーム２３とを具備しており、フレーム２３の中間部に中空矩形状連結部材２４を介して支柱１０の長さに略等しい長さを有する取付部材例えばチャンネル状のエッジカバー２５が連結されている。このエッジカバー２５は、アルミニウム合金製の押出形材にて形成されており、ソーラーパネル２０の上下端外方位置と端部位置にねじ孔（図示せず）が設けられている。
【００２２】
このように形成されるソーラーパネル２０を支柱１０に取り付けるには、エッジカバー２５を支柱１０の凹溝１１内に挿入すると共に、エッジカバー２５に設けられたねじ孔に六角孔付き止めねじ２６を螺合し、六角レンチ等の工具（図示せず）を用いて、止めねじ２６の先端部を凹溝１１の底面１１ａに押し付けることで、エッジカバー２５を凹溝１１の狭隘開口部１２に設けられた段部１４に圧接して、固定することができる（図２（ａ）参照）。このようにして支柱１０に装着されるソーラーパネル２０を、図２（ａ）に二点鎖線で示すように、２つの凹溝１１を利用して２個装着してもよい。このようにして、ソーラーパネル２０を支柱１０の外面に沿って装着することができるので、上方から下方に向かって照射される光の遮断を可及的に少なくすることができ、照射領域を拡大して照明効果を高めることができる。
【００２３】
上記蓄電池３０は、制御装置（図示せず）と共に内部筐体３１内に収納された状態で、支柱１０の側壁に設けられた窓孔（図示せず）を介して支柱１０の中空部１０ａ内に収容され、図示しない係止手段によって支柱１０内に係止固定されている（図２参照）。
【００２４】
上記光源ユニット４１は、図２ないし図４に示すように、中空状支柱１０と同様に凹溝１１を有するアルミニウム合金製の断面略円形状の中空押出形材にて形成される光源外皮筐体４２と、この光源外皮筐体４２の上部に取り付けられる光源４０とで構成されている。この場合、光源４０は、少ない消費電力によって高輝度の発光体例えば高輝度の白色発光ダイオード（ＬＥＤ）にて形成されている。このように形成される光源すなわち発光ダイオード４０は、光源外皮筐体４２の上端開口部を閉塞する上部蓋体４３の中心部に設けられた取付孔４４を介して発光部４０ａが外部に突出（露出）した状態で取り付けられている（図４参照）。また、発光ダイオード４０のリード線４０ｂは、光源外皮筐体４２の凹溝１１の底面１１ａに設けられた透孔１１ｂを介して凹溝１１内に配線されるようになっている（図４（ｂ）参照）。
【００２５】
この場合、上部蓋体４３は、光源外皮筐体４２の外形と同形状の輪郭を有するアルミニウム合金製板部材にて形成されており、この上部蓋体４３の４箇所に設けられた取付孔（図示せず）を介してビスポケット１５に螺合される固定ねじ４５によって光源外皮筐体４２の開口部を閉塞している。なお、この場合、上部蓋体４３と光源外皮筐体４２との間にシール部材（図示せず）が介在されて、光源外皮筐体４２内に雨水等が浸入するのを防止している。また、光源外皮筐体４２の下部開口部には、同様に図示しないシール部材を介して下部蓋体４６が閉塞されている。
【００２６】
上記反射板５０は、下方に向かって緩やかな凸円弧状に湾曲された例えばアルミニウム合金製の略矩形状の板部材にて形成されている。この反射板５０の表面すなわち反射面には、発光ダイオード４０から照射される光を拡散すると共に、散乱させる凹凸表面５０ａが形成されている。ここでは、反射板５０をアルミニウム合金製の板部材にて形成する場合について説明したが、反射板５０をステンレス鋼製の板部材にて形成してもよい。また、反射板５０の形状を、略矩形状に代えて例えば皿状円板形にしてもよい。
【００２７】
上記のように形成される反射板５０は、上部蓋体４３の周縁側の複数箇所例えば４箇所に突設される４本の保持棒５１を介して発光ダイオード４０の上方位置に配設されている。この場合、各保持棒５１は、例えばアルミニウム合金製あるいはステンレス鋼製の棒部材にて形成されており、反射板５０と上部蓋体４３に対してねじ結合あるいは溶接等の固定手段にて固定されている。
【００２８】
上記のように、発光ダイオード４０の上方側に、発光ダイオード４０の周囲から起立する複数４本の保持棒５１を介して反射板５０を配設することにより、発光ダイオード４０から照射される光の多くを反射板５０に照射することができ、反射板５０によって効率良く反射すなわち拡散及び散乱させて、反射光を下方拡開方向に照射することができる。
【００２９】
一方、上記監視カメラユニット６１は、図５に示すように、中空状支柱１０及び光源外皮筐体４２と同様に凹溝１１を有するアルミニウム合金製の断面略円形状の中空押出形材にて形成される監視カメラ外皮筐体６２と、この監視カメラ外皮筐体６２内の下部に装着される監視カメラ６０とで構成されている。この場合、監視カメラ６０は、監視カメラ外皮筐体６２の下端開口部に固定ねじ（図示せず）をもって装着される監視カメラ外皮筐体６２と同一の断面形状を有する下部蓋体６４に開設された取付窓孔６５を介して外部に露呈されるレンズ６０ａと、監視カメラ外皮筐体６２の中空部６２ａ内に配設される例えばＣＣＤ（電荷結合素子）等を内蔵する一体型カメラ本体６０ｂ又は基板型のカメラ本体６０ｃとからなるカメラにて形成されている（図５（ｂ），（ｃ）参照）。このように形成される監視カメラ６０は、水平の３６０度の範囲内が撮像可能となっており、撮像された画像データは無線あるいは有線で遠隔部に伝送されるようになっている。なお、取付窓孔６５には、透明性のレンズ５ａの保護フィルタ６０ｄが取り付けられている。また、監視カメラ６０のリード線６０ｅは、下部蓋体６４に連結される後述するパイプ状連結部材６６の中空部６６ａ内に挿入されて、中空状支柱１０の中空部１０ａ内に案内されている。なお、監視カメラ外皮筐体６２の上端開口部は、下部蓋体６４と同様に、図示しないシール部材を介して上部蓋体６７がビスポケット１５に螺合する固定ねじ（図示せず）によって閉塞されている。
【００３０】
上記のように構成される監視カメラユニット６１は、中空状支柱１０の上端開口部を閉塞する上部蓋体１７に突設される複数例えば４本のパイプ状連結部材６６を介して中空状支柱１０の上方に取り付けられている。この場合、パイプ状連結部材６６は、予め中空状支柱１０の上部蓋体１７又は監視カメラユニット６１の下部蓋体６４の一方例えば下部蓋体６４にかしめあるいはねじ止め等によって固定（図５（ｄ）参照）された後、他方例えば上部蓋体１７にかしめあるいはねじ止め等によって固定される。この際、少なくとも２本のパイプ状連結部材６６はかしめによって監視カメラユニット６１の下部蓋体６４と支柱１０の上部蓋体１７に固定されて、パイプ状連結部材６６の中空部６６ａが中空状支柱１０の中空部１０ａと監視カメラ外皮筐体６２の中空部６２ａとを連通されて、その中空部内に上記発光ダイオード４０のリード線４０ｂと監視カメラ６０のリード線６０ｅが配線可能になっている。
【００３１】
上記のように構成される監視カメラユニット６１は、連結部材７０を介して連結・固定されている。この場合、連結部材７０は、エッジカバー２５と同様に、アルミニウム合金製の押出形材にて形成されるチャンネル状部材にて形成されており、その両端部にねじ孔７１が設けられている。
【００３２】
監視カメラユニット６１と光源ユニット４１とを連結するには、連結部材７０を、図４、図５に示すように、監視カメラ外皮筐体６２及び光源外皮筐体４２に設けられた凹溝１１の狭隘開口部１２の内側に形成された段部１４に係合した状態で凹溝１１内に予め摺動自在に挿入し、連結部材７０に設けられた取付孔７１に六角孔付き止めねじ７２を螺合して、図示しない六角レンチ等の工具を用いて止めねじ７２の先端部を凹溝１１の底面１１ａに押し付けて連結部材７０を段部１４に圧接することで、連結部材７０と例えば光源ユニット４１の光源外皮筐体４２とを固定した後、同様にして例えば監視カメラユニット６１の監視カメラ外皮筐体６２とを固定して、監視カメラユニット６１と光源ユニット４１とを連結する。このようにして、２個の連結部材７０を介して監視カメラユニット６１と光源ユニット４１とを連結する。このとき、光源すなわち発光ダイオード４０のリード線４０ｂは、凹溝１１に設けられた透孔（図示せず）を介して凹溝１１と連結部材７０とで形成される凹状空間内を通って監視カメラ外皮筐体６２内に配線されると共に、パイプ状連結部材６６の中空部を介して中空状支柱１０の中空部１０ａ内に案内された後、蓄電池３０に接続される。
【００３３】
上記のように、中空状支柱１０の上部に、リード線４０ｂ，６０ｅが配線可能なパイプ状連結部材６６を介して下面にレンズ６０ａを有する監視カメラユニット６１を連結し、この監視カメラユニット６１の上部に、発光ダイオード４０のリード線４０ｂが配線可能な連結部材７０を介して光源ユニット４１を連結することにより、監視カメラ６０の撮像領域を可及的に広くした状態で、支柱１０に収容された蓄電池３０からの電力を監視カメラ６０及び発光ダイオード４０に供給することができる。
【００３４】
なお、ソーラーパネル２０の装着に利用されていない凹溝１１には、化粧用のチャンネル状のエッジカバー２５Ａを装着する方がよい。このエッジカバー２５Ａは、アルミニウム合金製の押出形材にて形成されている。エッジカバー２５Ａは、図２（ａ）に示すように、凹溝１１の狭隘開口部１２の内側に形成された段部１４に係合した状態で凹溝１１内に挿入され、エッジカバー２５Ａに設けられたねじ孔２７に六角孔付き止めねじ２６を螺合して、図示しない六角レンチ等の工具を用いて止めねじ２６の先端部を凹溝１１の底面１１ａに押し付けてエッジカバー２５Ａを段部１４に圧接することで、エッジカバー２５Ａを凹溝１１内に装着することができる。
【００３５】
上記のように構成される独立電源型防犯柱によれば、昼間は、ソーラーパネル２０によって太陽光（太陽エネルギ）を集光（吸収）して、蓄電池３０に蓄電しおくことができ、また、夜間には、制御装置に組み込まれた制御回路の作動によって蓄電池３０に蓄電された電力を定電圧・定電流に制御して発光ダイオード４０に供給して、各発光ダイオード４０を発光させ、発光ダイオード４０から照射された光を反射板５０によって拡散及び散乱させて下方拡開方向に照射することができる。また、発光ダイオード４０及び反射板５０によって照射された領域を監視カメラ６０によって監視することができる。これにより、少ない消費電力によって効率のよい照射領域を得ることができると共に、防犯機能の向上が図れる。
【００３６】
◎第二実施形態
上記実施形態では、支柱１０が１本で形成される場合について説明したが、支柱を分割式にして連結部材にて連結するようにしてもよい。例えば、図６に示すように、支柱１０Ａを、支柱１０と同形状の凹溝１１を有する短尺例えば１ｍ２０ｃｍの中空状の下部支柱体１００及び中空状の上部支柱体２００とで構成し、下部支柱体１００と上部支柱体２００とを連結部材８０によって連結するようにしてもよい。この場合、連結部材８０は、エッジカバー２５と同様に、アルミニウム合金製の押出形材にて形成されるチャンネル状部材にて形成されており、その両端部にねじ孔８１が設けられている。なお、下部支柱体１００の上端開口部は、上部蓋体１９が図示しないシール部材を介して固定ねじ（図示せず）をビスポケット１５に螺合することによって閉塞されている。また、上部支柱体２００の下端開口部にも同様に、図示しないシール部材を介して下部蓋体１８が閉塞されている。
【００３７】
下部支柱体１００と上部支柱体２００とを連結するには、連結部材８０を図７に示すように、凹溝１１の狭隘開口部１２の内側に形成された段部１４に係合した状態で凹溝１１内に予め摺動自在に挿入し、連結部材８０に設けられたねじ孔８１に六角孔付き止めねじ８２を螺合して、図示しない六角レンチ等の工具を用いて止めねじ８２の先端部を凹溝１１の底面１１ａに押し付けて連結部材８０を段部１４に圧接することで、連結部材８０と一方の支柱体例えば下部支柱体１００とを固定した後、同様にして他方の支柱例えば上部支柱体２００とを固定して、下部支柱体１００と上部支柱体２００とを連結する。なお、凹溝１１にソーラーパネル２０のエッジカバー２５が装着される場合は、エッジカバー２５を下方に延在し、この延在部に設けられた連結部材８０に同様に止めねじ２６を螺合することによって、下部支柱体１００と上部支柱体２００とを連結することができる。
【００３８】
上記説明では、中空状支柱１０Ａを、ソーラーパネル２０を装着する上部支柱体２００と地上に立設される下部支柱体１００とで構成する場合について説明したが、支柱１０Ａを構成する支柱体は２本である必要はなく、３本以上としてもよく、例えば上部支柱体２００の上方に同様に連結部材８０を介して別の支柱体を連結してもよい。
【００３９】
上記のように、支柱１０Ａを複数の短尺の支柱体１００，２００にて形成することにより、梱包を容易にすることができると共に、運搬を容易にすることができる。また、支柱体１００，２００を、支柱体１００，２００に設けられた狭隘開口状の凹溝１１内に挿入され固定される連結部材８０をもって連結するので、支柱の組立を容易にすることができる。
【００４０】
なお、第二実施形態において、その他の部分は第一実施形態と同じであるので、同一部分には同一符号を付して、説明は省略する。
【００４１】
◎その他の実施形態
１）上記実施形態では、支柱１０，１０Ａの２箇所に凹溝１１を設けた場合について説明したが、凹溝１１は必ずしも２箇所である必要はなく、１箇所あるいは３箇所又は４箇所等任意の数であってもよい。
【００４２】
２）上記実施形態では、支柱１０，１０Ａ（下部支柱体１００、上部支柱体２００）が、断面略略円形の中空押出形材にて形成される場合について説明したが、断面円形以外に、例えば、図８に示すように、断面略四角形の中空押出形材にて支柱１０Ｂを形成するか、図９に示すように、断面略菱形の中空押出形材にて支柱１０Ｃを形成するか、あるいは、図１０に示すように、断面略三角形の中空押出形材にて支柱１０Ｄを形成することも可能である。
【００４３】
図８ないし図１０では、支柱１０Ｂ，１０Ｃ，１０Ｄの１箇所に凹溝１１を設ける場合について説明したが、例えば図１１（ａ）に示すように、２箇所に凹溝１１を設けてもよく、あるいは、図１１（ｂ）に示すように、３箇所に凹溝１１を設けて、各凹溝１１を利用してソーラーパネル２０を装着するようにしてもよい。ここでは、断面略三角形の中空状支柱１０Ｄの場合について説明したが、断面略四角形の中空状支柱１０Ｂあるいは断面略菱形の中空状支柱１０Ｃにおいても複数の凹溝１１を設けることは可能である。
【００４４】
【発明の効果】
以上に説明したように、この発明は上記のように構成されているので、以下のような優れた効果が得られる。
【００４５】
１）請求項１記載の発明によれば、光源からの光の照明領域を支柱の下部周辺の広い範囲に渡って広げることができ、また、少なくとも照射領域の全般に渡って監視カメラによって撮像することができるので、少ない消費電力によって有効な照射領域を確保することができると共に、防犯機能の向上が図れる。
【００４６】
２）請求項２記載の発明によれば、光源を、中空状支柱の頂部に配設されると共に、上方側に向かって照射可能な発光体にて形成し、この発光体の上方側に、発光体の外方周辺から起立する保持棒を介して反射板を配設することにより、光源からの光を効率良く反射板に照射して反射板によって効率良く反射することができるので、上記１）に加えて更に少ない消費電力で照射領域の拡大を図ることができる。
【００４７】
３）請求項３記載の発明によれば、光源から照射される光を反射板の凹凸表面によって拡散及び散乱させて下方拡開方向に照射することができるので、上記１）、２）に加えて更に少ない消費電力で照射領域の拡大を図ることができる。
【００４８】
４）請求項４記載の発明によれば、中空状支柱の上部に、リード線が配線可能なパイプ状の連結部材を介して下面にレンズを有する監視カメラユニットを連結し、この監視カメラユニットの上部に、リード線が配線可能な連結部材を介して光源ユニットを連結するので、上記１）、２）に加えて更に監視カメラの撮像領域を可及的に広くした状態で、支柱に収容された蓄電池からの電力を監視カメラ及び光源に供給することができる。
【００４９】
５）請求項５記載の発明によれば、中空状支柱と監視カメラユニットの外皮筐体及び光源ユニットの外皮筐体を、それぞれ長手通しの狭隘開口状の凹溝を有する同一の断面形状に形成し、両外皮筐体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、監視カメラユニットと電源ユニットとを連結・固定することにより、監視カメラユニットと光源ユニットの外皮筐体を共通の部材にて形成することができると共に、簡単な連結作業によって監視カメラユニットと光源ユニットの連結・固定を容易にすることができる。
【００５０】
６）請求項６記載の発明によれば、中空状支柱を、長手方向に沿設される狭隘開口状の凹溝を有する複数の支柱体にて構成し、隣接する支柱体の凹溝内に連結部材を摺動可能に挿入すると共に、連結部材に設けられたねじ孔に螺合する止めねじを凹溝の底面に押し付け、かつ、連結部材を凹溝の狭隘開口部に圧接して、支柱体同士を連結・固定することにより、上記１）〜５）に加えて更に中空状支柱が分割でき、コンパクトにすることができるので、梱包を容易にすることができると共に、運搬を容易にすることができる。また、設置現場において、連結部材によって中空状支柱の組立を容易にすることができる。
【図面の簡単な説明】
【図１】この発明に係る独立電源型防犯柱の第一実施形態の全体を示す概略正面図（ａ）及び（ａ）のＩ部拡大断面図（ｂ）である。
【図２】図１のII−II線に沿う拡大断面図（ａ）及び図１のIII−III線に沿う拡大断面図（ｂ）である。
【図３】第一実施形態の独立電源型防犯柱を示す概略斜視図である。
【図４】この発明における光源及び反射板を示す斜視図（ａ）及び（ａ）のIV矢視断面図（ｂ）である。
【図５】この発明における監視カメラ外皮筐体を示す斜視図（ａ）、（ａ）のＶ矢視断面図（ｂ）、監視カメラの別の形態を示す断面図（ｃ）及び（ｂ）のVI部拡大断面図（ｄ）である。
【図６】この発明に係る独立電源型防犯柱の第二実施形態の全体を示す概略正面図（ａ）及び概略背面図（ｂ）である。
【図７】図６のVII−VII線に沿う拡大断面図である。
【図８】この発明における支柱の別の断面形状を示す断面図である。
【図９】この発明における支柱の更に別の断面形状を示す断面図である。
【図１０】この発明における支柱の更に別の断面形状を示す断面図である。
【図１１】図１０に示した断面形状の支柱に２箇所又は３箇所に凹溝を設けた場合の断面図である。
【符号の説明】
１０，１０Ａ，１０Ｂ，１０Ｃ，１０Ｄ  中空状支柱
１０ａ  中空部
１１  凹溝
２０  ソーラーパネル
３０  蓄電池
４０  発光ダイオード（光源，発光体）
４０ｂ  リード線
４１  光源ユニット
４２  光源外皮筐体
５０  反射板
５０ａ  凹凸表面
５１  保持棒
６０  監視カメラ
６０ｅ  リード線
６１  監視カメラユニット
６２  監視カメラ外皮筐体
６６  パイプ状連結部材
７０，８０  連結部材
７１，８１  ねじ孔
７２，８２  止めねじ
１００  下部支柱体
２００  上部支柱体
【図１】
2004204599.tif 000003
【図２】
2004204599.tif 000004
【図３】
2004204599.tif 000005
【図４】
2004204599.tif 000006
【図５】
2004204599.tif 000007
【図６】
2004204599.tif 000008
【図７】
2004204599.tif 000009
【図８】
2004204599.tif 000010
【図９】
2004204599.tif 000011
【図１０】
2004204599.tif 000012
【図１１】
2004204599.tif 000013